(57)【要約】【課題】  各種の紙おむつに簡単に接着することによって排便及び排尿を各々個別に区別して感知できるようにした使い捨ておむつ用の排便、排尿検知帯体である。【解決手段】  長手帯状の検知帯体に３条の共通導電線と左右の排尿及び排便電線を導電塗料を以って印刷して小型発振端部を形成し、排便導電線の端子先端部と排便導電線の先端部とに位置する尿感知部分と便感知部分とに並設する共通導電線との間には各々絶縁体を被着しないことを特徴としている。【特許請求の範囲】
【請求項１】
おむつ本体（Ａ）に取着して使用する検知帯体（１）は、長手方向の絶縁体（１６）の表面に導電塗料印刷よりなる中央に共通導電線（２）と、左右に排尿導電線（３）と排便導電線（４）を配置し、該排尿導電線（３）は、該共通導電線（２）より短く配置し、該排便導電線（４）は、該共通導電線（２）と同一寸法に配置し、且つ該排尿導電線（３）の端子先端部（１４）と隣接する該共通導電線（２）の部分と、該排便導電線（４）の端子先端部（１４）と、該共通導電線（２）の先端部（６）との表面以外に各種の絶縁体（１５）を被着重合したことを特徴とする使い捨ておむつ用の排便、排尿検知帯体。
【請求項２】
前記検知帯体（１）における共通導電線（２）と排尿導電線（３）及び排便導電線（４）とを小型発振端部（８）に発振クリップ（９）を以って連接したことを特徴とする請求項１に記載の使い捨ておむつ用の排便、排尿検知帯体。
【請求項３】
前記発振クリップ（９）に送信する発振器（１０）とこの送信から結果を受信する検知受信器（５）とからなることを特徴とする請求項１または２記載の使い捨ておむつ用の排便、排尿検知帯体。
【請求項４】
前記検知帯体（１）の底部の絶縁体（１６）の裏面に粘着剤（１７）及び剥離紙（１８）を接合したことを特徴とする請求項１に記載の使い捨ておむつ用の排便、排尿検知帯体。
【発明の詳細な説明】
【技術分野】
【０００１】  本発明は、乳児や寝たきりの老人等が使用する紙おむつにおいて、各種の紙おむつに簡単に接着することによって使用できると共に、排便及び排尿を各々区別して感知できるようにした使い捨ておむつ用の排便、排尿検知帯体に関するものである。
【背景技術】
【０００２】  従来この種の濡れおむつを検知するものは種々散見されているが、乳児又は老人等に使用されている紙おむつには、何等検知装置が使用されてない現状である。従って、使い捨て紙おむつによって、保護者又は看護人等が直接に見たり触ったりして判断するか、又は時間によって取換える等の処置が取られている現状である。
更に、排便、排尿の処理を容易に各々別個に外部より容易に判断できれば、排便のうち特に排尿のみでも簡単に検知できれば、本人又は看護人にも大変に負担が軽減されるものである。
また、近年、おむつ自体が水分を感知して遠隔場所にある受信器を作動させるものも散見されているが、この感知装置のものは、おむつに排便及び排尿を別々に感知することなく、排便及び排尿の区別の判断ができず、保護者又は看護人の取替作業が非常に複雑となる問題が生ずるものである。
【発明の概要】
【発明が解決しようとする課題】
【０００３】  上記従来のおむつに述べた如く、看護人等が直接おむつに触ることなく、検知受信器によって、排便又は排尿の表示が各々別個に判断できれば、大変に便利である。
また、従来のおむつの検知によるものでは、排便と排尿とを１ヶ所の吸着面で同時に検知するため、紙おむつの取換回数が非常に多数となる問題が生じている。
本発明は、従来の上記の便利な点及び問題を解決するものであり、その目的とする所は、乳児、老人及び病院等における寝たきりの老人等の使用者が、各種の紙おむつに検知帯体を容易に接着自在として使用できるようにし、且つ、排便と排尿とを各々確実に伝達表示できるようにした使い捨ておむつ用の排便、排尿検知帯体を提供するものである。
【課題を解決するための手段】
【０００４】  上記目的を達成するために、本発明の排便、排尿用の検知帯体（１）は、使い捨ておむつ本体（Ａ）の排便と排尿する個所に接着剤（１７）によって接着使用する。
該検知帯体（１）は、所定の長手方向に形成された絶縁体（１６）を使用し、該絶縁体（１６）の表面に導電塗料印刷され、その中央に共通導電線（２）と左右に該共通導電線（２）より短い長さの排尿導電線（３）を設けると共に、該共通導電線（２）と同一の寸法の長さの排便導電線（４）を各々併設に導電塗料印刷されている。
また、該排尿導電線（３）の端子先端部（１４）と隣接する該共通導電線（２）の部分のみと、排便導電線（４）の端子先端部（１４）と、該共通導電線（２）の先端部（６）との表面を除いた以外に各種の絶縁体（１５）を被着したものである。
更に、検知帯体（１）における共通導電線（２）と排尿導電線（３）及び排便導電線（４）との３線を小型発振端部（８）において発振クリップ（９）を以って連接してある。
また、該発振クリップ（９）によって受信する発振器（１０）によって送信から結果を受信する検知受信器（５）からなる検知帯体である。
また、検知帯体（１）には、裏打に接着剤（１７）と剥離紙（１８）を重合接着している。
【発明の効果】
【０００５】  本発明は、上述の通り構成されているので、次の記載する効果がある。
即ち、各種の使い捨ておむつに自由に接着できるので、大変に便利に使用できる効果がある。
また、検知帯体は、長手方向の絶縁体の表面に共通導電線、排尿導電線及び排便導電線の各々を導電塗料印刷を以って塗着したので、製造が極めて容易であると共に、非常に安価となる実利的な効果がある。
そして、中央に印刷した共通導電線とその左右に設けた長さの短い排尿導電線と、共通導電線と同等の長さの排便導電線を塗着したので、排尿及び排便の汚染状態を各々別個に判別できる便利な効果がある。
また、検知帯体の先端に位置する３種類の導電線の小型発振端部は、発振クリップによって簡単に着脱できる便利な効果もある。
また、検知帯体の裏面に粘着剤を介して剥離紙を接合したので、各々の使い捨ておむつの内面に剥離紙を剥がすことによって、各種の多数種の紙おむつに使用できる実用的な効果がある。
【図面の簡単な説明】
【０００６】
【図１】  本発明をおむつ本体に装着した状態の平面図である。
【図２】  同じく本発明の検知帯体のみを開示した平面図である。
【図３】  同じく本発明の図１に示すＡ−Ａ、Ｂ−Ｂ及びＣ−Ｃ線の縦断側面を示したものである。
【図４】  本発明に使用するスィッチを設けた検知受信器の平面図である。
【発明を実施するための形態】
【０００７】  本発明は上記の如き構成であり、この用法を説明すると、検知帯体（１）は、各種の紙おむつ本体の中央の縦方向に剥離紙を剥がして粘着剤の表面をおむつ本体の前面側の縁部に該検知帯体（１）の検知端子部（１３）（１３）を設けた小型発振端部（８）を取付け、該小型発振端部（８）に発振クリップ（９）と発振器（１０）を装設する。この状態で検知受信器（５）のスィッチ（２１）を看護人等がＯＮにした状態で必要な各所に設置する。そして、使用者が尿感知部分（１１）において、排尿導電線（３）の端子先端部（１４）と並設している共通導電線（２）との抵抗の湿度による変化で発振クリップ（９）を発振器（１０）を得て遠方に位置する検知受信器（５）に設けた排尿アラーム又はランプ（１９）に伝達するものである。
また、使用者が便感知部分（１２）において、該排便導電線（４）と平設している共通導電線（２）と抵抗の湿度による変化で発振クリップ（９）と発振器（１０）を得て遠方に位置する検知受信器（５）を設けた排便アラーム又はランプ（２０）に伝達するものである。汚れたおむつ本体（Ａ）は、その度ごとに発振クリップ（９）と発振器（１０）を外し、取り換えて新しいおむつ本体に検知帯体（１）を接着して使用するものである。
【実施例】
【０００８】  次に、本発明の実施例を図面について説明すると、図１に示すものは、使い捨てのおむつ本体（Ａ）の縦方向の中央部に、検知帯体（１）を接着した状態を示したもので、該おむつ本体（Ａ）は、表裏の不吸水及び吸水性の薄紙膜等で構成されている。
該検知帯体（１）は、図２、図３に示す如く、長手方向の紙等よりなる絶縁体（１６）の表面に一定の間隔を設けて中央に共通導電線（２）と、所定間隔を設けて一方に寸法の短い排尿導電線（３）と、他方に該共通導電線（２）と同等の長さを有する排便導電線（４）とを各々導電塗料印刷した水分量に対応するセンサーを印刷等によって構成してある。
また、該共通導電線（２）、該排尿導電線（３）及び排便導電線（４）の上面に図３の如く全面に絶縁体（１５）を重合粘着する。
次に、該検知帯体（１）に印刷した中央の該共通導電線（２）には、先端に便感知部分（１２）に位置する先端部（６）と検知端子部（１３）を設け、該検知端子部（１３）は、小型発振端部（８）に取着される。また、該排尿導電線（３）は、先端に尿感知部分（１１）に位置する端子先端部（１４）と、その後端の検知端子部（１３）を該小型発振端部（８）に取着されている。
また、該排便導電線（４）には、先端が便感知部分（１２）の位置に端子先端部（１４）が取着され、後端の検知端子部（１３）は、該小型発振端部（８）に取着られている。
また、該尿感知部分（１１）と該便感知部分（１２）との共通導電線（２）と排尿導電線（３）及び排便導電線（４）との並列する上面には、表面の絶縁体（１５）を被着しないで開放状態とするものである。
次に、該小型発振端部（８）には、図１に示す如く、発振クリップ（９）によって着脱自在に取付けられている。該発振クリップ（９）は、発振器（１０）の起動を感知し、検知受信器（５）に作動させる。
また、該尿感知部分（１１）と間隔を設けてある該便感知部分（１２）との間に設けた遮断縫目線（７）は吸水水分の移動を防止するために構成されている。
また、前記絶縁体（１６）の裏面には、各種のおむつ本体（Ａ）に取付自在に接着できる粘着剤（１７）とその表面に剥離紙（１８）を貼着してある。
次に、前記検知受信器（５）には、排尿又は排便を表示する排尿アラーム又はランプ（１９）と、排便アラーム又はランプ（２０）と、その一部にメインスィッチ（２１）及び消去スィッチ（２２）と、各種の乾電池（２３）等を適宜装設する構成となっている。
【符号の説明】
【０００９】Ａ            おむつ本体
１            検知帯体
２            共通導電線
３            排尿導電線
４            排便導電線
５            検知受信器
６            先端部
７            遮断縫目線
８            小型発振端部
９            発振クリップ
１０          発振器
１１          尿感知部分
１２          便感知部分
１３          検知端子部
１４          端子先端部
１５、１６    絶縁体
１７          粘着剤
１８          剥離紙
１９          排尿アラーム又はランプ
２０          排便アラーム又はランプ
２１          メインスィッチ
２２          消去スィッチ
２３          乾電池
【図１】
2014033961.tif 000002
【図２】
2014033961.tif 000003
【図３】
2014033961.tif 000004
【図４】
2014033961.tif 000005